(57)【要約】      （修正有）【課題】呼を有線ネットワークに首尾よく経路選択するために必要な無線電気通信ネットワークリソースを低減するためのシステムを提供する。【解決手段】第１の機構（５２）は無線ネットワークに接続された無線パーティから発生された呼を有線ネットワークに接続された有線パーティに経路選択する。第２の機構（５４）は経路選択のための機構に応答して有線ネットワークがふくそうしているか否か決定し、それに応答して信号を供給する。第３の機構（６０）はその信号に応答して呼の待ち行列を選択的に作る。第４の機構は、呼が待ち行列の前部に到達し、有線ネットワークがその呼を受信できるとき無線パーティを有線パーティに接続する。【選択図】図２
2011055527.tif 000002
【特許請求の範囲】
【請求項１】
下記の手段を具備する、有線ネットワークに呼を首尾よく経路選択するのに必要な無線電気通信ネットワークリソースを低減するためのシステム：
無線ネットワークに接続された無線パーティから発生された呼を有線ネットワークに接続された有線パーティに経路選択するための手段；
前記経路選択手段に応答して前記有線ネットワークがふくそうしているか否か判断し、その判断に応答して信号を供給する手段；
前記信号に応答して前記呼を選択的に待ち行列に入れる手段；および
前記呼が前記待ち行列の先頭に到達し、前記有線ネットワークが前記呼を受信可能なとき前記無線パーティを前記有線パーティに接続する手段。
【請求項２】
前記呼を経路選択する手段は、前記無線パーティに相関する移動局と通信している基地局または基地局コントローラと通信する移動切換センターを含む、請求項１記載のシステム。
【請求項３】
前記判断手段は、前記呼が完了しているか否かを判断し、前記呼が完了していない場合には、前記ネットワークがふくそうしていることを示す手段を含む、請求項２記載のシステム。
【請求項４】
前記呼を選択的に待ち行列に入れる手段は前記移動切換センターおよび／または前記基地局コントローラ上で動作するソフトウエア、または前記呼を前記待ち行列に入れる外部プロセッサを含む、請求項３記載のシステム。
【請求項５】
前記接続手段は、前記呼が完了しようとしていることを前記無線パーティが通知されたときに関していつ前記有線パーティが応答するかを監視する手段を含む、請求項４記載のシステム。
【請求項６】
前記接続手段は、前記接続手段を介して前記呼が完了することを前記無線パーティに通知される前に前記有線パーティが前記呼に応答した場合には、前記無線パーティは短期間に接続することを前記有線パーティに通知するための手段をさらに含む、請求項５記載のシステム。
【請求項７】
前記接続手段は、前記無線パーティに前記接続手段により通知ができないあるいはコンタクトできない場合、前記無線パーティが利用できないことを前記有線パーティに通知する手段をさらに含む、請求項６記載のシステム。
【請求項８】
前記無線パーティと前記有線パーティとの間で記録されたメッセージを交換する手段をさらに含む、請求項５記載のシステム。
【請求項９】
下記の手段を具備する、最小量の無線インフラストラクチャで有線ネットワークのふくそうを効率的に調整するための無線電気通信システム：
移動局；
前記移動局と通信する基地局；
前記基地局と通信するコントローラ；
前記基地局コントローラ、前記基地局、前記移動局および有線ネットワークとの間で呼を経路選択するための移動切換センター；および
前記有線ネットワークがいつふくそうしたかを判断し、有線ネットワークリソースが利用できるときに今度は前記呼が完了するように前記移動局から発生され前記有線ネットワークに向けられた呼を待ち行列に入れる手段。
【請求項１０】
前記判断手段は待ち行列ソフトウエアを含む、請求項９記載のシステム。
【請求項１１】
前記待ち行列ソフトウエアは前記移動切換センターで実行される、請求項１０記載のシステム。
【請求項１２】
前記待ち行列ソフトウエアは前記基地局コントローラで実行される、請求項１０記載のシステム。
【請求項１３】
前記移動局は、前記判断手段を選択的にアクティブにするためのユーザオプションと前記呼を待ち行列から外すオプションを供給するための移動局ソフトウエアを実行する、請求項９記載のシステム。
【請求項１４】
前記判断手段は前記移動局のユーザに、前記有線ネットワーク上の呼ばれたパーティに配付するためのメモを記録するオプションを提供する手段を含み、前記メモは有線のふくそうに応答して前記判断手段により選択的に待ち行列に入れられる、請求項９記載のシステム。
【請求項１５】
前記メモは音声メッセージであり、前記供給手段はさらに前記呼ばれたパーティが応答を前記音声メッセージに残すことを可能にする第２のオプションをさらに含む、請求項１４記載のシステム。
【請求項１６】
前記判断手段は、前記移動局のユーザに、前記呼が前記待ち行列の先頭またはその付近にあり、前記有線ネットワーク上の呼ばれたパーティに接続しようとしていることを通知する手段を含む、請求項９記載のシステム。
【請求項１７】
前記通知手段は、前記通知手段により前記呼が接続されようとしていることを前記移動局のユーザが通知される前に前記呼ばれたパーティが応答するとき前記移動局のユーザは短期間に接続されることを前記呼ばれたパーティに通知する手段を含む、請求項１６記載のシステム。
【請求項１８】
以下の工程を具備する、ふくそうした有線ネットワークに呼を首尾よく経路選択するのに必要な無線電気通信ネットワークリソースを低減するための方法：
無線ネットワークに接続された無線パーティから発せられた呼を有線ネットワークに接続された有線パーティに経路選択することを試行し；
前記呼を完了できない程度に前記有線ネットワークがふくそうしているか否かを判断し、その判断に応答して信号を供給し；
前記信号に応答して前記呼を選択的に待ち行列に入れ；および
前記呼が前記待ち行列の先頭に到達し、前記有線ネットワークが前記呼を受信可能であるとき前記無線パーティを前記有線パーティに接続する。
【発明の詳細な説明】
【技術分野】
【０００１】
本発明は、無線通信システムに関する。特に、本発明は有線ふくそうによる高無線煩雑時呼試行（ＢＨＣＡ）を緩和するためのシステムおよび方法に関する。
【背景技術】
【０００２】
無線通信システムは捜索アプリケーション、救出アプリケーションおよびビジネスアプリケーションを含む種々の過酷な要求をするアプリケーションに使用される。そのようなアプリケーションは、最小の量の無線ネットワークリソースを使用しながら一日のうちの最繁時に有線ネットワークへの呼を効率よく送ることのできる信頼できる通信システムを必要とする。
【０００３】
無線電気通信システムは、１つ以上の基地局と通信する複数の移動局（例えば固定無線電話または移動電話）により特徴づけられる。移動局により送信される信号は基地局により受信され基地局コントローラ（ＢＳＣ）に中継される。ＢＳＣは次にその信号を他の基地局、移動体通信網向交換機（ＭＳＣ）あるいは直接公衆電話交換網（ＰＳＴＮ）に送る。同様に、信号は、ＰＳＴＮから基地局およびＭＳＣを介して移動局に送信するようにしてもよい。ＰＳＴＮはしばしば陸線ネットワークまたは有線ネットワークと呼ばれる。有線ネットワークにおいて、呼は無線回線を介して無線で送られるよりもむしろワイヤを介して陸上を介して送られる。
【０００４】
各基地局はセルと呼ばれる限られた地理学上の領域を支配する。一般的に、無線電気通信システムのサービスエリアは複数のセルに分割される。移動局が第１のセルから第２のセルに移動すると、第２のセルに相関する新しいシステムリソースを移動局に割当てるためにハンドオフが行われる。
【０００５】
無線ネットワークは、電話の使用量がピークに達した期間に適応するために十分なリソースを維持しなければならない。陸線のふくそうはしばしば無線リソースに重い負担をかける。例えば、無線ネットワークを介して有線ネットワーク上の電話に試みられた呼は呼が接続される前にいくつかの試みを必要とする。一日の最も忙しい時間に無線ネットワークと有線ネットワークとの間の呼を完了するのに必要な試みの平均数は最煩時呼試行（ＢＨＣＡ）として知られている。一般に、無線ネットワークは呼を完了するために、必要なＢＨＣＡに順応するために十分な無線リソース、すなわち帯域、ソフトウエアおよびハードウエアを持たなければならない。
【０００６】
インドの市場やスリランカの市場のような電話市場において、有線のふくそうは特に問題である。そのような市場において、無線インフラストラクチャは、無線サービス加入者あたり８  ＢＨＣＡにしばしば適応しなければならない。一般に必要な呼数に適応するためにアクセス／トラフィックチャネルおよび相関するソフトウエアおよびハードウエアのようなさらなるリソースが無線ネットワークに追加される。追加のリソースは高価であり、しばしばさらなる高価なエンジニアリングおよびインストレーション作業を必要とする。
【０００７】
呼を発生する無線ネットワークは、有線のふくそうによる電話の呼び出し毎にリソースを供給しなければならない。リソースの供給は極めて非効率的でコスト高である。インド市場のような市場において、有線ふくそうの期間有線電話への呼を確立するのに必要な余分な電話のかけなおしに適応するために無線ネットワークインフラストラクチャの容量が非常に拡大される。
【０００８】
それゆえ、高ＢＨＣＡを処理するのに必要な必須のさらなる無線インフラストラクチャを低減し、有線ふくそうの期間有線電話への呼を確立するために必要な余分な電話のかけなおしを実質的に消去するシステムおよび方法の必要性がこの分野に存在する。
【発明の概要】
【０００９】
この技術の必要性は、本発明の有線ネットワークに呼を成功裏に送るのに必要な無線電気ネットワークリソースを低減するためのシステムにより解決する。このシステムは無線ネットワークに接続された無線パーティから発生された呼を有線ネットワークに接続された有線パーティに送るための第１の機構を含む。第２の機構は経路選択のための機構に応答して有線ネットワークがふくそうしているか否か決定し、それに応答して信号を供給する。第３の機構はその信号に応答して呼の待ち行列を選択的に作る。第４の機構は、呼が待ち行列の前部に到達し、有線ネットワークがその呼を受信できるとき無線パーティを有線パーティに接続する。
【００１０】
特定の実施形態において、呼を経路選択する第１の機構は基地局または基地局コントローラと通信する移動切換センターを含む。基地局または基地局コントローラは無線パーティに相関する移動局と通信する。有線ネットワークがふくそうしているか否かを判断する第２の機構は、呼が完了しているか否かを判断するために監視し、呼が完了していなければ信号を介してネットワークがふくそうしていることを示す機構を含む。選択的に呼の待ち行列を作る第３の機構は移動切換センター上で実行されるソフトウエアを含み、および／または呼を待ち行列に入れるための基地局コントローラを含む。このソフトウエアは外部アプリケーションプロセッサ上でも実行可能である。無線パーティを接続するための第４の機構は、呼が完了間近であることを無線パーティが知らされた時に関して有線パーティがいつ応答するかを監視する機構を含む。第４の機構はさらに、呼が第４の機構を介して完了間近であることを無線パーティが知らされる前に有線パーティがその呼に応答するならば、無線パーティが短期間に接続することを有線パーティに知らせるための機構を含む。第４の機構はまた接続機構により無線パーティに通知できないかまたは連絡を取ることができない場合には無線パーティが利用できないことを有線パーティに知らせるための機構も含む。図示実施形態において、システムは無線パーティと有線パーティとの間で記録されたメッセージを交換するためのさらなる機構を含む。
【００１１】
本発明の新規なデザインは、第１、第２、第３および第４の機構を実現するための移動切換センターまたはアプリケーションプロセッサ上で実行され、有線のふくそうに直面して呼を選択的に待ち行列させる呼待ち行列ソフトウエアの使用により容易になる。呼の選択的待ち行列は絶え間ない電話のかけ直しの必要性を低減し、電話のかけ直しに適応するために無線ネットワークリソースの冗長な使用を消去する。この結果、無線インフラストラクチャコストの点から実質的な節約が得られる。
【図面の簡単な説明】
【００１２】
【図１】本発明の開示に従って構成された無線通信システムの図である。
【図２】図１の移動切換センター（ＭＳＣ）上で実行されるソフトウエアを介して実現される数字受信完了呼数に適応するための方法のフロー図である。
【発明を実施するための形態】
【００１３】
本発明は特定のアプリケーションのための図示実施形態に関連して述べるが、本発明はそれに限定されないことが理解されなければならない。この分野の通常の技術を有する者およびここに提供される開示にアクセスする者は、開示の範囲内のさらなる変形、応用および実施形態および本発明が重要なユーティリティであるさらなる分野を認識するであろう。
【００１４】
第１図は、本発明の開示に従って構成された無線通信システム１０の図である。システム１０は、本発明の特別の呼待ち行列ソフトウエア１７を実行するアプリケーションプロセッサ１５を含む。アプリケーションプロセッサ１５は基地局コントローラ（ＢＳＣ）１４を持つ移動切換センター（ＭＳＣ）１２に接続される。当業者は、ソフトウエアをＢＳＣ１４またはＭＳＣ１２で実行させることが可能であり、その場合にはアプリケーションプロセッサ１５は不要であることを理解する。
【００１５】
ＭＳＣ１２とＢＳＣ１４は第１の基地局１８および第２の基地局２０と、同軸ケーブル、マイクロ波、光ファイバ、あるいは銅線で構成し得る、Ｔ１またはＥ１の長さを介して通信する。基地局１８および２０はまた基地局トランシーバーサブシステム（ＢＴＳ）としても知られそれぞれ第１のセル２２および第２のセル２４を支配し、それぞれ第１のエアーインターフェースリンク２８および第２のエアーインターフェースリンク３４を介して移動局２６と通信する。
【００１６】
公衆電話交換網（ＰＳＴＮ）１６（有線ネットワークまたは陸線ネットワークとも呼ばれる）はスイッチ（図示せず）を介してＭＳＣ１２に接続され電話線および他のネットワーク（図示せず）からの呼をＭＳＣ１２との間でやりとりする。ＭＳＣ１２はＰＳＴＮ１６からの呼をそれぞれ第１のセル２２および第２のセル２４に相関する第１の基地局１８および第２の基地局２０との間でやりとりする。さらに、ＭＳＣ１２は基地局１８および２０との間で呼を経路選択する。第１の基地局１８は第１の通信リンク２８を介して第１セル２２内の第１の移動局２６５に方向づける。第１の通信リンク２８は順方向リンク３０および逆方向リンク３２を持つ双方向無線リンクである。
【００１７】
移動局２６が第１のセル２２から第２のセル２４に移動すると、移動局２６はターゲット基地局２０にハンドオフされる。ハンドオフは第１のセル２２が第２のセル２４に重畳する重畳領域３６で起きる。
【００１８】
ソフトハンドオフにおいて、移動局２６はソース基地局１８との第１の通信リンク２８に加えてターゲット基地局２０との第２の通信リンク３４を確立する。移動局２６が第２のセル２４に横断した後、移動局２６は第１の通信リンク２８を中断することができる。
【００１９】
ハードハンドオフにおいて、通信リンク３４は確立されない。移動局２６が第１のセル２２から第２のセル２４に移動すると、ソース基地局１８へのリンクは遮断され、ターゲット基地局２０との間に新しいリンクが作成される。
【００２０】
特別の呼待ち行列ソフトウエア１７はダウンしているまたはふくそうしているＭＳＣとＰＳＴＮとの間のリンクにより不完全な呼であるときを検出する。特別の呼待ち行列ソフトウエア１７は、移動局２６により発生されＰＳＴＮ１６に接続された有線パーティ（図示せず）に方向づけられた不完全な呼のためにＭＳＣ１２およびＢＳＣ１４を監視する。不完全な呼はＰＳＴＮの停電、過度のふくそうおよび通信量または他の原因により生じる。しばしば遮断された呼は、一日のうちの最も煩雑な期間ＰＳＴＮ１６上のふくそうから生じる。
【００２１】
呼待ち行列ソフトウエア１７が、呼が通過できないと判断すると、ソフトウエア１７は、移動局２６を使用する無線パーティに呼が完了しなかったことを知らせるメッセージを、第１の基地局１８および／または第２の基地局２０を介して移動局２６に送信する。ＭＳＣ１２を介してソフトウエア１７により送信された特徴メッセージを介してアプリケーションプロセッサ１５上で実行されるソフトウエア１７により特徴オプションが提供される。メッセージは、音声メッセージ、特別の音色、あるいは、その構成がこの分野において知られているＭＳＣ１２に接続されたショートメッセージサービス（ＳＭＳ）システム１９を介してインフラストラクチャがＳＭＳをサポートする場合には、短いテキストメッセージであり得る。ユーザはその後、リソースがＰＳＴＮ１６上で利用可能になるとき今度は呼が完了になりそして呼を完了し得るようにアプリケーションプロセッサ１５内の待ち行列に呼を入れるためのコードを入力することができる。
【００２２】
待ち行列は呼接続されると待ち行列の先頭または前面から呼が取り除かれるリニアなファーストイン／ファーストアウト（ＦＩＦＯ）構造である。ＰＳＴＮのふくそうにより呼が待ち行列に入れられるとき待ち行列の後部または尾部に付加される。
【００２３】
一度呼が待ち行列の前面に到達すると、移動局２６を持つ無線パーティは、ソフトウエア１７から生成されＭＳＣ１２を介して送られる記録された音声メッセージ、ページあるいはテキストメッセージを介して呼が有線パーティに接続される予定であることを知らされる。無線パーティはメッセージに応答してその後有線パーティに接続される。
【００２４】
当業者は、本発明を実現するために適切なメッセージとソフトウエアルーチンを容易に構成することができる。メッセージとソフトウエアはアプリケーションに特定のものであり、通信システム１０に採用されるＭＳＣ、ＢＳＣおよびＰＳＴＮのタイプに応じて変更可能である。また、アプリケーションプロセッサ１５は本発明の範囲を逸脱することなくＭＳＣ１２内またはシステム１０のどこかに含ませるようにしてもよい。
【００２５】
好適実施形態において、以下に詳細に説明するように、特別のソフトウエア１７により提供される呼の待ち行列機能を容易にするための他のメッセージおよびオプションを設けるようにしてもよい。
【００２６】
図２は無線煩雑時呼試行（ＢＨＣＡ）に適応するための方法５０の図である。この方法５０は図１のアプリケーションプロセッサ１５上で実行される特別の呼待ち行列ソフトウエア１７を介して実現される。
【００２７】
図１および図２を参照して、初期呼検出ステップ５２において、特別ソフトウエア１７は基地局１８または２０からのような無線ネットワークから有線ネットワーク、すなわちＰＳＴＮ１６に呼が経路選択される時を検出する。その後のふくそう判断ステップ５４において、ソフトウエアは呼が有線ネットワーク１６により遮断されたかそうでなければ有線パーティに接続できなかったかを判断する。呼が首尾よく完了することができれば、制御が呼完了ステップ５６に渡され、呼が完了され方法５０が完了する。有線ネットワーク１６が、所定数（ネットワークに対して設計されたＢＨＣＡに応じて１以上）の呼試行が呼完了のために要求されるようにふくそうするなら、制御は未完了呼ステップ５８に渡される。
【００２８】
ＰＳＴＮ１６は有線１６がふくそうしていることを示す搬送情報を無線インフラストラクチャ１０のＭＳＣ１２に送信することができる。この搬送はＭＳＣ１２により使用されるＰＳＴＮスイッチの種類により変化する、すなわちＳＳ７、ＩＳＵＰ、Ｒ１またはＲ２を使用できる。ＭＳＣ１２はまたＭＳＣ１２とＰＳＴＮ１６との間のスパンインターフェース（図示せず）が切り離されているか否かも検出する。停電は切り離されたスパンインターフェースを生じる。
【００２９】
未完了呼ステップ５８において、無線加入者は音色またはアナウンスメントを介して呼が有線のふくそうにより完了できなかったことを知らされる。未完了呼ステップ５８において、ソフトウエア１７は、無線パーティが未完了呼を待ち行列に入れるための特徴コード、あるいはメモを記録するための特徴コードあるいは呼を開放するための特徴コードを入力可能にする特徴オプションを無線パーティに供給する。
【００３０】
呼が加入者により待ち行列に入れられると、制御は無線リソース保護ステップに渡され、基地局１８または２０と無線電話との間のリンク２８または３４が解除される。無線システム１０は、有線リソースが利用可能になるとき今度は呼が完了するように呼を待ち行列に入れる。無線加入者すなわち無線パーティが呼を待ち行列から外すためのさらなる特徴コードを入力することができるときはいつでも、その場合制御は呼解除ステップ６４に渡され、呼に相関する無線リソースは解除される。
【００３１】
その後待ち行列監視ステップ６２において、ソフトウエア１７は、呼が完了するであろう、すなわち呼が待ち行列の前面に到達し、有線ネットワーク１６がその呼を取り扱うのに十分なリソースを持つことを示すネットワーク搬送イベントのためにＭＳＣ１２を監視する。
【００３２】
ある種の有線ネットワーク、すなわちＰＳＴＮは現在呼完了を示す信号を供給しない。この場合には例えば、エラー条件が生じなければ、ＭＳＣ１２とＰＳＴＮ１６との間でスパンインターフェースが接続され、ＰＳＴＮ１６は停電で損害を受けず、ＰＳＴＮ１６は呼が待ち行列の前面に到達すると所定の呼が完了するであろうと仮定する。エラーメッセージが生じると、本発明はそのエラーを検知し、呼を待ち行列からはずすことをやめ、あるいはその呼を再度待ち行列に入れても、ページ、リングまたはテキストメッセージを介してその呼が完了するであろうことを無線パーティ６６に通知する次のステップを実行しない。あるいは、エラーメッセージは無線パーティに送ることもできる。
【００３３】
待ち行列監視ステップ６２において、呼が所定時間期間の後完了しないあるいは無線パーティがカバー範囲外に移動した場合にはソフトウエア１７は自動的にその呼を待ち行列から外し無線パーティに呼が待ち行列から外されたことを知らせる。所定の時間期間はアプリケーションに固有のものであり、当業者により特定のアプリケーションに対して容易に決定可能である。
【００３４】
ネットワーク搬送イベントあるいは他の手段を介して示されるように呼が完了する場合には、制御は無線パーティ６６に通知するステップに渡される。無線パーティ６６に通知するステップにおいて、無線パーティは音声メッセージが続くリングを介してあるいは加入者に待ち行列に入れられた呼が完了することを加入者に知らせる短いテキストメッセージを無線パーティが持つことを加入者に知らせるページを介して通知される。
【００３５】
次に、制御はタイミングステップ６８に渡され、ソフトウエアは有線パーティが呼に応答するときを監視するとともに、無線パーティが無線パーティ６６を通知するステップにおいて、呼完了通知に応答するときを監視する。
【００３６】
有線が接続されるが、無線パーティが接続できない場合には、制御は切り離し通知ステップ７０に渡され、有線パーティは、記録されたアナウンスメントを介して無線パーティが利用できないことを通知される。次に、制御は呼解除ステップ６４に渡され方法５０が完了する。
【００３７】
タイミングステップ６８において、無線パーティが呼び出され、そうでなければ警告される前に有線パーティが応答する場合には、制御は接続通知ステップ７２に渡される。接続通知ステップ７２において、有線パーティはアナウンスメントを介して呼び出しているパーティ、すなわち無線パーティが短期間に接続することが通知される。次に、制御は呼完了ステップ５６に渡され、方法５０は完了する。
【００３８】
そうでなければ、タイミングステップ６８において、有線パーティが呼に応答する前に無線パーティが通知に応答する場合には、制御は呼完了ステップ５６に渡され、方法５０は完了する。
【００３９】
未完了呼ステップ５８において、無線パーティはメモを要求し、無線パーティは、メッセージをランドパーティのために記録することができる音声メール接続ステップ７４において音声メールシステム（図示せず）に接続される。メッセージは呼ばれた無線パーティに配布するために待ち行列に入れられる。音声メールシステム（図示せず）は当業者により別個のハードウエアプラットフォームを介して容易に実現される。
【００４０】
次に、制御は音声メッセージングステップ７４に渡され、メッセージが待ち行列の前面に到達すると記録されたメッセージが有線パーティに配付される。好適実施形態において、記録されたメッセージが配付されたことを示すアナウンスメントが有線パーティに通知される。その後メッセージは再生され制御がオプションステップ７８に渡される。
【００４１】
オプションステップ７８において、有線パーティは、無線パーティに相関された音声メールボックスに、無線パーティのための記録された応答を残すオプションが与えられる。次に、制御は配付通知ステップ８０に渡され、無線パーティは、従前に記録された音声メッセージ、すなわちメモが呼ばれた有線パーティに配付されたことが通知される。好適実施形態において、無線パーティに音を鳴らし、ピークをはずれた期間に適切なアナウンスメントに無線パーティを接続し、あるいはアナウンスメントを無線パーティの音声メールボックスに経路選択することにより無線パーティは通知される。メッセージが配付されるかまたは通知が無線パーティのメールボックスに送られることが無線パーティに通知されると、制御は呼解除ステップ６４に渡され方法５０が完了する。
【００４２】
音声メッセージングステップ７４、７６、７８および８０において、例えば移動局２８をオフにすることによって無線パーティはいつでも解除することができ、その場合には制御は呼解除ステップ６４に渡され方法５０が完了する。しかしながら、この実施形態においては、記録されたメッセージが音声メッセージングステップ７４において待ち行列に入れられると記録されたメッセージは待ち行列から外れない。呼が待ち行列に一旦入れられるとその呼を待ち行列から外すためのユーザオプションは本発明の範囲を逸脱することなく実現可能である。
【００４３】
本発明を実現するのにＰＳＴＮ１６からＭＳＣ１４への新しい搬送は必要ないことが当業者には理解される。さらに、本発明の方法５０を実現するために、移動局２６と基地局１８または２０との間の新しいエアーインタフェースメッセージは必要ない。本発明はＭＳＣ１２内またはＭＳＣ１２に接続されたコンピュータ上で実行されるソフトウエアか、またはＭＳＣ１２内またはＭＳＣ１２に接続されたハードウエアで全体としてＭＳＣ１２内で実現可能である。この実施形態においては、ＭＳＣ１２に接続された図１のアプリケーションプロセッサ１５上を実行する特別の呼待ち行列ソフトウエア１７において実現される。
【００４４】
当業者は、本発明の方法を実現するのに必要な移動ＭＳＣと相関するＢＳＣとの間の不可欠なＡインタフェースメッセージを容易に設計および構成することができる。
【００４５】
移動局２６は本発明を実現するためにさらなるソフトウエアを必要としない。ステップ５８において提供された特徴オプションおよび相関するコードは、アプリケーションプロセッサ１５およびＭＳＣ１２を介して移動局に転送される警告およびアナウンスメントおよび／または短いテストメッセージの助けを借りてアプリケーションプロセッサ１５（図１参照）上で実行されるソフトウエアにより実現可能である。
【００４６】
以上、本発明について特定のアプリケーションのための特定の実施形態を参照して説明した。この分野における通常の知識を有する者およびこの開示にアクセスする者は本発明の範囲内においてさらなる変形、応用および具現化を認識するであろう。
【００４７】
それゆえ、添付されたクレームにより、本発明の範囲内においてそのような応用、変形および具現化をカバーすることが意図される。
【図１】
2011055527.tif 000003
【図２】
2011055527.tif 000004
【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
下記の手段を具備する、有線ネットワークに呼を首尾よく経路選択するのに必要な無線電気通信ネットワークリソースを低減するためのシステム：
無線ネットワークに接続された無線パーティから発生された呼を有線ネットワークに接続された有線パーティに経路選択するための手段；
前記経路選択手段に応答して前記有線ネットワークがふくそうしているか否か判断し、その判断に応答して信号を供給する手段；
前記信号に応答して前記呼を選択的に待ち行列に入れる手段；および
前記呼が前記待ち行列の先頭に到達し、前記有線ネットワークが前記呼を受信可能なとき前記無線パーティを前記有線パーティに接続する手段、ここにおいて、前記接続手段は、前記呼が完了しようとしていることを前記無線パーティが通知されたときに関していつ前記有線パーティが応答するかを監視する手段と、前記接続手段を介して前記呼が完了することを前記無線パーティに通知される前に前記有線パーティが前記呼に応答した場合には、前記無線パーティは短期間に接続することを前記有線パーティに通知するための手段の少なくとも１つを含む、システム。
【請求項２】
前記呼を経路選択する手段は、前記無線パーティに相関する移動局と通信している基地局または基地局コントローラと通信する移動切換センターを含む、請求項１記載のシステム。
【請求項３】
前記判断手段は、前記呼が完了しているか否かを判断し、前記呼が完了していない場合には、前記ネットワークがふくそうしていることを示す手段を含む、請求項２記載のシステム。
【請求項４】
前記呼を選択的に待ち行列に入れる手段は前記移動切換センターおよび／または前記基地局コントローラ上で動作するソフトウエア、または前記呼を前記待ち行列に入れる外部プロセッサを含む、請求項３記載のシステム。
【請求項５】
前記接続手段は、前記無線パーティに前記接続手段により通知ができないあるいはコンタクトできない場合、前記無線パーティが利用できないことを前記有線パーティに通知する手段をさらに含む、請求項１記載のシステム。
【請求項６】
前記無線パーティと前記有線パーティとの間で記録されたメッセージを交換する手段をさらに含む、請求項１記載のシステム。
【請求項７】
下記の手段を具備する、最小量の無線インフラストラクチャで有線ネットワークのふくそうを効率的に調整するための無線電気通信システム：
移動局；
前記移動局と通信する基地局；
前記基地局と通信するコントローラ；
前記基地局コントローラ、前記基地局、前記移動局および有線ネットワークとの間で呼を経路選択するための移動切換センター；および
前記有線ネットワークがいつふくそうしたかを判断し、有線ネットワークリソースが利用できるときに今度は前記呼が完了するように前記移動局から発生され前記有線ネットワークに向けられた呼を待ち行列に入れる手段、ここにおいて、前記判断手段は、前記移動局のユーザに、前記呼が前記待ち行列の先頭またはその付近にあり、前記有線ネットワーク上の呼ばれたパーティに接続しようとしていることを通知する手段を含み、前記通知手段は、前記通知手段により前記呼が接続されようとしていることを前記移動局のユーザが通知される前に前記呼ばれたパーティが応答するとき前記移動局のユーザは短期間に接続されることを前記呼ばれたパーティに通知する手段を含む、システム。
【請求項８】
前記判断手段は待ち行列ソフトウエアを含む、請求項７記載のシステム。
【請求項９】
前記待ち行列ソフトウエアは前記移動切換センターで実行される、請求項８記載のシステム。
【請求項１０】
前記待ち行列ソフトウエアは前記基地局コントローラで実行される、請求項８記載のシステム。
【請求項１１】
前記移動局は、前記判断手段を選択的にアクティブにするためのユーザオプションと前記呼を待ち行列から外すオプションを供給するための移動局ソフトウエアを実行する、請求項７記載のシステム。
【請求項１２】
前記判断手段は前記移動局のユーザに、前記有線ネットワーク上の呼ばれたパーティに配付するためのメモを記録するオプションを提供する手段を含み、前記メモは有線のふくそうに応答して前記判断手段により選択的に待ち行列に入れられる、請求項７記載のシステム。
【請求項１３】
前記メモは音声メッセージであり、前記供給手段はさらに前記呼ばれたパーティが応答を前記音声メッセージに残すことを可能にする第２のオプションをさらに含む、請求項１２記載のシステム。
【請求項１４】
以下の工程を具備する、ふくそうした有線ネットワークに呼を首尾よく経路選択するのに必要な無線電気通信ネットワークリソースを低減するための方法：
無線ネットワークに接続された無線パーティから発せられた呼を有線ネットワークに接続された有線パーティに経路選択することを試行し；
前記呼を完了できない程度に前記有線ネットワークがふくそうしているか否かを判断し、その判断に応答して信号を供給し；
前記信号に応答して前記呼を選択的に待ち行列に入れ；および
前記呼が前記待ち行列の先頭に到達し、前記有線ネットワークが前記呼を受信可能であるとき前記無線パーティを前記有線パーティに接続する、ここにおいて、前記接続することは、前記呼が完了しようとしていることを前記無線パーティが通知されたときに関していつ前記有線パーティが応答するかを監視することと、前記接続することを介して前記呼が完了することを前記無線パーティに通知される前に前記有線パーティが前記呼に応答した場合には、前記無線パーティは短期間に接続することを前記有線パーティに通知することとの少なくとも１つを含む、方法。
【請求項１５】
ふくそうした有線ネットワークに呼を首尾よく経路選択するのに必要な無線電気通信ネットワークリソースを低減するための方法において、
無線ネットワークに接続された無線パーティから発せられた呼を有線ネットワークに接続された有線パーティに経路選択することを試行することと、
前記呼を完了できない程度に前記有線ネットワークがふくそうしているか否かを判断し、その判断に応答して信号を供給することと、
前記有線ネットワークがふくそうしていることを示す前記信号に応答して前記呼を待ち行列に入れるために前記呼を選択的にキューイングする(queueing)ことと、ここにおいて、前記呼が前記待ち行列に入れられると、前記無線パーティを前記呼のための無線ネットワークに接続する無線リンクが開放される、
前記呼が前記待ち行列の先頭に到達し、前記有線ネットワークが前記呼を受信可能であるとき、前記呼が完了するであろう前記無線リンクを再確立することにより前記無線パーティを前記有線パーティに接続することと、
を具備する方法。
【請求項１６】
請求項１５に記載された方法を実施するように構成されたモバイルスイッチングセンタ。
【請求項１７】
請求項１５に記載された方法を実行するためのコンピュータ実行可能な命令を具備するコンピュータ記憶媒体。
【手続補正２】
【補正対象書類名】明細書
【補正対象項目名】００４７
【補正方法】変更
【補正の内容】
【００４７】
それゆえ、添付されたクレームにより、本発明の範囲内においてそのような応用、変形および具現化をカバーすることが意図される。
以下に他の実施形態を示す。
［１］下記の手段を具備する、有線ネットワークに呼を首尾よく経路選択するのに必要な無線電気通信ネットワークリソースを低減するためのシステム：
無線ネットワークに接続された無線パーティから発生された呼を有線ネットワークに接続された有線パーティに経路選択するための手段；
前記経路選択手段に応答して前記有線ネットワークがふくそうしているか否か判断し、その判断に応答して信号を供給する手段；
前記信号に応答して前記呼を選択的に待ち行列に入れる手段；および
前記呼が前記待ち行列の先頭に到達し、前記有線ネットワークが前記呼を受信可能なとき前記無線パーティを前記有線パーティに接続する手段。
［２］前記呼を経路選択する手段は、前記無線パーティに相関する移動局と通信している基地局または基地局コントローラと通信する移動切換センターを含む、請求項１記載のシステム。
［３］前記判断手段は、前記呼が完了しているか否かを判断し、前記呼が完了していない場合には、前記ネットワークがふくそうしていることを示す手段を含む、請求項２記載のシステム。
［４］前記呼を選択的に待ち行列に入れる手段は前記移動切換センターおよび／または前記基地局コントローラ上で動作するソフトウエア、または前記呼を前記待ち行列に入れる外部プロセッサを含む、請求項３記載のシステム。
［５］前記接続手段は、前記呼が完了しようとしていることを前記無線パーティが通知されたときに関していつ前記有線パーティが応答するかを監視する手段を含む、請求項４記載のシステム。
［６］前記接続手段は、前記接続手段を介して前記呼が完了することを前記無線パーティに通知される前に前記有線パーティが前記呼に応答した場合には、前記無線パーティは短期間に接続することを前記有線パーティに通知するための手段をさらに含む、請求項５記載のシステム。
［７］前記接続手段は、前記無線パーティに前記接続手段により通知ができないあるいはコンタクトできない場合、前記無線パーティが利用できないことを前記有線パーティに通知する手段をさらに含む、請求項６記載のシステム。
［８］前記無線パーティと前記有線パーティとの間で記録されたメッセージを交換する手段をさらに含む、請求項５記載のシステム。
［９］下記の手段を具備する、最小量の無線インフラストラクチャで有線ネットワークのふくそうを効率的に調整するための無線電気通信システム：
移動局；
前記移動局と通信する基地局；
前記基地局と通信するコントローラ；
前記基地局コントローラ、前記基地局、前記移動局および有線ネットワークとの間で呼を経路選択するための移動切換センター；および
前記有線ネットワークがいつふくそうしたかを判断し、有線ネットワークリソースが利用できるときに今度は前記呼が完了するように前記移動局から発生され前記有線ネットワークに向けられた呼を待ち行列に入れる手段。
［１０］前記判断手段は待ち行列ソフトウエアを含む、請求項９記載のシステム。
［１１］前記待ち行列ソフトウエアは前記移動切換センターで実行される、請求項１０記載のシステム。
［１２］  前記待ち行列ソフトウエアは前記基地局コントローラで実行される、請求項１０記載のシステム。
［１３］前記移動局は、前記判断手段を選択的にアクティブにするためのユーザオプションと前記呼を待ち行列から外すオプションを供給するための移動局ソフトウエアを実行する、請求項９記載のシステム。
［１４］前記判断手段は前記移動局のユーザに、前記有線ネットワーク上の呼ばれたパーティに配付するためのメモを記録するオプションを提供する手段を含み、前記メモは有線のふくそうに応答して前記判断手段により選択的に待ち行列に入れられる、請求項９記載のシステム。
［１５］前記メモは音声メッセージであり、前記供給手段はさらに前記呼ばれたパーティが応答を前記音声メッセージに残すことを可能にする第２のオプションをさらに含む、請求項１４記載のシステム。
［１６］前記判断手段は、前記移動局のユーザに、前記呼が前記待ち行列の先頭またはその付近にあり、前記有線ネットワーク上の呼ばれたパーティに接続しようとしていることを通知する手段を含む、請求項９記載のシステム。
［１７］前記通知手段は、前記通知手段により前記呼が接続されようとしていることを前記移動局のユーザが通知される前に前記呼ばれたパーティが応答するとき前記移動局のユーザは短期間に接続されることを前記呼ばれたパーティに通知する手段を含む、請求項１６記載のシステム。
［１８］以下の工程を具備する、ふくそうした有線ネットワークに呼を首尾よく経路選択するのに必要な無線電気通信ネットワークリソースを低減するための方法：
無線ネットワークに接続された無線パーティから発せられた呼を有線ネットワークに接続された有線パーティに経路選択することを試行し；
前記呼を完了できない程度に前記有線ネットワークがふくそうしているか否かを判断し、その判断に応答して信号を供給し；
前記信号に応答して前記呼を選択的に待ち行列に入れ；および
前記呼が前記待ち行列の先頭に到達し、前記有線ネットワークが前記呼を受信可能であるとき前記無線パーティを前記有線パーティに接続する。
【外国語明細書】
2011055527000001.pdf